(57)【要約】【課題】頻繁に使用する可能性のある端末の登録をユーザに促すことのできるハンズフリー通話装置を提供する。【解決手段】外部端末と通信可能な端末と信号の送受信を行う送受信部を備え、前記端末と前記外部端末との通話を制御するハンズフリー通話装置において、前記ハンズフリー通話装置を介してハンズフリー通話が可能となる前記端末を登録端末として登録する登録部と、端末からの信号を検知する検知部と、検知した前記信号に基づき、検知した前記端末の識別情報及び検知頻度を記憶する検知情報記憶部と、検知された前記端末が、前記登録端末として前記登録部に登録されておらず、且つ、該端末の前記検知頻度が所定の頻度以上となったとき、該端末を前記登録部に登録するように促す報知制御部を備える。【選択図】図２
2012160843.tif 000002
【特許請求の範囲】
【請求項１】
外部端末と通信可能な端末と信号の送受信を行う送受信部を備え、前記端末と前記外部端末との通話を制御するハンズフリー通話装置において、
前記ハンズフリー通話装置を介してハンズフリー通話が可能となる前記端末を登録端末として登録する登録部と、
端末からの信号を検知する検知部と、
検知した前記信号に基づき、検知した前記端末の識別情報及び検知頻度を記憶する検知情報記憶部と、
検知された前記端末が、前記登録端末として前記登録部に登録されておらず、且つ、該端末の前記検知頻度が所定の頻度以上となったとき、該端末を前記登録部に登録するように促す報知制御部を備えたことを特徴とするハンズフリー通話装置。
【請求項２】
請求項１記載のハンズフリー通話装置において、
前記ハンズフリー通話装置は、車両に搭載され、前記検知部は、前記車両に持ち込まれた前記端末からの信号を検知することを特徴とするハンズフリー通話装置。
【請求項３】
請求項１又は２記載のハンズフリー通話装置において、
前記検知情報記憶部は、前記識別情報によって特定された前記端末毎の前記検知頻度を記憶することを特徴とするハンズフリー通話装置。
【請求項４】
請求項１〜３のいずれか１項に記載のハンズフリー通話装置において、
前記検知頻度は、前記端末の検知回数であることを特徴とするハンズフリー通話装置。
【請求項５】
請求項１〜３のいずれか１項に記載のハンズフリー通話装置において、
前記検知頻度は、前記端末を検知した累積時間であることを特徴とするハンズフリー通話装置。
【発明の詳細な説明】
【技術分野】
【０００１】
本発明は、ハンズフリー通話装置に関し、特に、発信元端末を制御して発信先端末とハンズフリー通話を行うハンズフリー通話装置に関する。
【背景技術】
【０００２】
近年、携帯電話機の著しい普及乃至高機能化に伴い、歩行中に携帯電話機を使用するだけでなく、車両による移動中やパソコンでの作業中に携帯電話機を使用する状況が増加している。しかしながら、特に車両による移動中にドライバが携帯電話機を使用することは、安全面において非常に問題となり、法令により禁止事項とされている。
【０００３】
このような状況に対処するため、ハンズフリーの状態で通話を行うことのできるハンズフリー通話装置が開発されている。例えば、下記特許文献１（特開２００２−２２３２８８号公報）には、車両に搭載可能なハンズフリー通話装置が開示されている。このハンズフリー通話装置では、携帯電話機の電話番号を用いて複数の携帯電話機をハンズフリー通話用の携帯電話機として登録し、いずれかの携帯電話機に着信があったとき、登録されている携帯電話機の１つを選択してハンズフリー通話を行うことができる。
【先行技術文献】
【特許文献】
【０００４】
【特許文献１】特開２００２−２２３２８８号公報（段落［００２２］、［００３６］〜［００３８］）
【発明の概要】
【発明が解決しようとする課題】
【０００５】
ところで、上記特許文献１では、ハンズフリー通話を行うことのできる携帯電話機は、ユーザによってハンズフリー通話装置に予め登録されている必要がある。しかしながら、登録の対象となる携帯電話機は、ユーザの状況に応じて変わる場合がある。例えば、車両に持ち込まれる携帯電話機は、車両に乗車するユーザによって異なる。しかしながら、車両に乗車するユーザの全ての携帯電話機を登録することは、非常に煩わしいだけでなく、無駄でもある。その一方で、携帯電話機の登録を亡失すると、その携帯電話機をハンズフリー通話に使用することができない。
【０００６】
本発明は、上記の問題点を解消することを課題とするものであり、頻繁に使用する可能性のある発信元端末の登録をユーザに促すことのできるハンズフリー通話装置を提供することを目的とするものである。
【課題を解決するための手段】
【０００７】
前記課題を解決するために、本願の請求項１にかかる発明は、外部端末と通信可能な端末と信号の送受信を行う送受信部を備え、前記端末と前記外部端末との通話を制御するハンズフリー通話装置において、前記ハンズフリー通話装置を介してハンズフリー通話が可能となる前記端末を登録端末として登録する登録部と、端末からの信号を検知する検知部と、検知した前記信号に基づき、検知した前記端末の識別情報及び検知頻度を記憶する検知情報記憶部と、検知された前記端末が、前記登録端末として前記登録部に登録されておらず、且つ、該端末の前記検知頻度が所定の頻度以上となったとき、該端末を前記登録部に登録するように促す報知制御部を備えたことを特徴とする。
【０００８】
本願の請求項２にかかる発明は、請求項１記載のハンズフリー通話装置において、前記ハンズフリー通話装置は、車両に搭載され、前記検知部は、前記車両に持ち込まれた前記端末からの信号を検知することを特徴とする。
【０００９】
本願の請求項３にかかる発明は、請求項１又は２記載のハンズフリー通話装置において、前記検知情報記憶部は、前記識別情報によって特定された前記端末毎の前記検知頻度を記憶することを特徴とする。
【００１０】
本願の請求項４にかかる発明は、請求項１〜３のいずれか１項に記載のハンズフリー通話装置において、前記検知頻度は、前記端末の検知回数であることを特徴とする。
【００１１】
本願の請求項５にかかる発明は、請求項１〜３のいずれか１項に記載のハンズフリー通話装置において、前記検知頻度は、前記端末を検知した累積時間であることを特徴とする。
【発明の効果】
【００１２】
請求項１にかかる発明においては、外部端末と通信可能な端末と信号の送受信を行う送受信部を備え、前記端末と前記外部端末との通話を制御するハンズフリー通話装置において、前記ハンズフリー通話装置を介してハンズフリー通話が可能となる前記端末を登録端末として登録する登録部と、端末からの信号を検知する検知部と、検知した前記信号に基づき、検知した前記端末の識別情報及び検知頻度を記憶する検知情報記憶部と、検知された前記端末が、前記登録端末として前記登録部に登録されておらず、且つ、該端末の前記検知頻度が所定の頻度以上となったとき、該端末を前記登録部に登録するように促す報知制御部を備えた。
【００１３】
かかる構成によれば、頻繁に使用する可能性の高い未登録の端末であることをユーザに報知することにより、ユーザに当該端末を積極的に登録する処理を促すことができる。
【００１４】
請求項２にかかる発明においては、請求項１にかかる発明において、端末が車両に持ち込まれた時点で、その端末からの信号を検知して検知頻度を取得することにより、車両内で頻繁に使用する端末の登録をユーザに促すことができる。
【００１５】
請求項３にかかる発明においては、請求項１又は２にかかる発明において、検知した端末を特定し、特定された端末ごとに検知頻度を取得して当該端末の登録をユーザに促すことができる。
【００１６】
請求項４にかかる発明においては、請求項１〜３のいずれか１項にかかる発明において、端末の検知回数に基づいて、端末の登録をユーザに促すことができる。
【００１７】
請求項５にかかる発明においては、請求項１〜３のいずれか１項にかかる発明において、端末を検知した累積時間に基づいて、端末の登録をユーザに促すことができる。
【図面の簡単な説明】
【００１８】
【図１】本発明の実施例にかかる車両に搭載されるハンズフリー通話装置の説明図である。
【図２】本発明の実施例にかかるハンズフリー通話装置の構成ブロック図である。
【図３】本発明の実施例にかかるハンズフリー通話装置により制御される携帯電話機の構成ブロック図である。
【図４】本発明の実施例にかかるハンズフリー通話装置における携帯電話機の登録促進処理のフローチャートである。
【図５】本発明の実施例にかかるハンズフリー通話装置におけるメニュー画面の説明図である。
【図６】本発明の実施例にかかるハンズフリー通話装置に登録されている携帯電話機の登録一覧画面の説明図である。
【発明を実施するための形態】
【００１９】
以下、本発明の具体例を実施例及び図面を用いて詳細に説明する。但し、以下に示す実施形態は、本発明の技術的思想を具体化するためのハンズフリー通話装置を例示するものであって、本発明をこのハンズフリー通話装置に特定することを意図するものではなく、特許請求の範囲に含まれるその他の実施形態のハンズフリー通話装置にも等しく適応し得るものである。
【実施例】
【００２０】
図１は、本発明の実施例にかかるハンズフリー通話装置の説明図である。ハンズフリー通話装置は、車両１０に搭載されるナビゲーション装置１１（ハンズフリー通話装置）であり、ナビゲーション装置１１を介して、複数台の携帯電話機１２ａ、１２ｂから選択された１台と、外部の携帯電話機１３とが通信可能に構成される。なお、携帯電話機１２ａ、１２ｂは、予めナビゲーション装置１１に対して登録がされた端末であり、且つ、車両１０に持ち込まれた端末である。
【００２１】
ナビゲーション装置１１を介して、外部の端末（本実施例における携帯電話機１３）とハンズフリー通話を行うためには、携帯電話機（本実施例においては携帯電話機１２ａ、１２ｂ）を、ナビゲーション装置１１に対し登録を行う必要がある。
【００２２】
このようにナビゲーション装置１１を介してハンズフリー通話を可能とする携帯電話機を特定する（登録を必要とする）理由について以下説明を行う。
【００２３】
ハンズフリー機能を有したナビゲーション装置１１は、車両のエンジンＯＮに伴い装置が起動されると、常時、周辺機器（携帯電話機１２ａ、１２ｂ）から送信される信号を待ち受ける状態となり（周辺機器の存在を監視する状態）、また、ハンズフリー機能を有した携帯電話機１２ａ、１２ｂにおいては、ハンズフリー機能の設定がＯＮ（ユーザによる任意設定）の状態であれば、常時、周辺に対して信号を送信し続ける。従って、ハンズフリー機能の設定がＯＮ状態である携帯電話機１２ａ、１２ｂが、ハンズフリー機能を有したナビゲーション装置１１の近辺（例えば、車両１０内）にある場合、ナビゲーション装置１１は、この携帯電話機１２ａ、１２ｂの存在を検知することができる。そして、車両１０内にある携帯電話機１２ａ、１２ｂに対して外部の携帯電話機１３から着信があった場合、携帯電話機１２ａ、１２ｂとの間でハンズフリー接続を行い、ハンズフリー通話を開始することが可能となるが、このとき、接続された携帯電話機１２ａ、１２ｂのユーザにハンズフリー通話を行う意思がない場合にハンズフリー通話を開始してしまうと、外部の携帯電話機のユーザとの会話内容が車内に聞こえてしまい、同乗者がいるような場合には、聞かれたくない会話も同乗者に聞かれてしまうという問題も生じる。
【００２４】
そのため、ナビゲーション装置１１を介したハンズフリー通話を行う意思があるユーザについては、予め、所有する携帯電話機１２ａ、１２ｂをナビゲーション装置１１に対して設定登録を行い、登録された携帯電話機１２ａ、１２ｂへの着信時のみハンズフリー通話を許可する仕組みとなっている。
【００２５】
図２は、ナビゲーション装置１１の構成ブロック図であり、図３は、ナビゲーション装置１１に接続可能な携帯電話機１２ａ、１２ｂの構成ブロック図である。
【００２６】
ナビゲーション装置１１は、車両１０の現在位置を検出して地図画像とともに表示部に表示し、ユーザが目的地まで移動するための支援を行う機能を備えるとともに、車両１０に持ち込まれた携帯電話機１２ａ、１２ｂを選択して、ハンズフリーによる通話制御を行うハンズフリー通話装置である。
【００２７】
ナビゲーション装置１１は、制御部１４（報知制御部）、現在位置検出部１５、経路探索部１６、地図情報記憶部１７、アドレス情報記憶部１８、携帯電話機登録情報記憶部１９（登録部）、検知回数記憶部２０（検知情報記憶部）、近距離無線通信部２１（検知部）、操作部２２、表示部２３、マイク２４及びスピーカ２５を備えて構成される。
【００２８】
制御部１４は、ＣＰＵ２６、ＲＯＭ２７、ＲＡＭ２８を備えて構成され、ＲＯＭ２７及び／またはＲＡＭ２８に記憶された制御プログラムをＣＰＵ２６が実行することにより、ナビゲーション装置１１の各部の動作を制御・統括する。
【００２９】
現在位置検出部１５は、地球上空を周回している複数のＧＰＳ衛星からの信号を所定の時間間隔で受信し、この信号に含まれている時刻情報及び衛星位置情報に基づいて車両１０の現在位置を算出する。
【００３０】
経路探索部１６は、ユーザが入力した経路探索条件に従い、地図情報記憶部１７に記憶されている地図情報を参照して最適な経路（案内経路）を探索するものである。経路探索部１６は、出発地または現在位置に対応する道路のノードから目的地に対応するノードに至るまでのリンクをダイクストラ法等の手法によって探索し、リンク長（リンクコスト）や所要時間を累積し、総リンク長（走行距離）または総所要時間が最短となる経路を案内経路として探索する。なお、経路探索部１６は、外部の情報提供サーバから通信手段を介して地図情報を取得し、経路探索を行うものであってもよい。また、地図情報とともに経路探索部を外部の情報提供サーバに設置し、ナビゲーション装置１１が外部から案内経路を取得するように構成することもできる。
【００３１】
また、本実施例では、経路探索部１６をＣＰＵ２６とは別の構成として設けているが、これに限るものではなく、ＣＰＵ２６が、ＲＯＭ２７に記憶された経路探索プログラムに基づき、地図情報記憶部１７に記憶された地図情報を参照して最適な経路を探索するものであってもよい。
【００３２】
地図情報記憶部１７は、道路データ、建物データ、背景データ及びテキストデータから構成される地図情報を保持する。道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標、交差点情報や交差点名称を示す情報等のノード属性、接続リンク本数、接続リンク番号のデータを含んで構成される。リンクデータは、リンクの始点及び終点となるノード番号、高速道路や一般道や街路等を区別するための道路種別、それぞれの道路の本線や連結路、分岐路を区別するための道路種別、距離及び／または所要時間、国道○号線のような道路名称、進行方向のデータを含んで構成される。
【００３３】
リンクデータには、上記に加えて、リンク属性として、橋、トンネル、踏切、料金所等のデータが付与される。建物データは、建物の位置座標、駅、ビル、民家等の建物の種別、表示色のデータを含んで構成される。背景データは、海岸線、湖沼、河川形状、山林等の背景画像データとなる位置座標、表示色のデータを含んで構成される。テキストデータは、それぞれの地名や河川名等の文字（名称）、及びその座標のデータを含んで構成される。
【００３４】
アドレス情報記憶部１８は、ナビゲーション装置１１に設定登録された複数台の携帯電話機１２ａ、１２ｂが持つそれぞれのアドレス情報を記憶する。アドレス情報は通話先となる携帯電話機の電話番号等を記録したものであり、発信の際に所望の通話先を選択するために用いられる。従って、アドレス情報記憶部１８には、通話先となる携帯電話機１３の所有者の名前、電話番号、所有者を分類するグループ、発信先端末の通信キャリア等が記憶される。
【００３５】
登録部として機能する携帯電話機登録情報記憶部１９は、ナビゲーション装置１１に登録された複数台の携帯電話機１２ａ、１２ｂにかかる登録情報を記憶する。図６は、ナビゲーション装置１１に登録されている４台の携帯電話機にかかる登録情報を示す登録一覧の画面である。登録情報には、ナビゲーション装置１１に登録された携帯電話機の識別情報（図中、Ｔ００３、Ｗ５４Ｓ等）、電話番号、携帯電話機がナビゲーション装置１１に接続されているか否かを示す接続有無、携帯電話機のキャリア等が記憶される。
【００３６】
検知情報記憶部として機能する検知回数記憶部２０は、制御部１４が検知した携帯電話機が車両１０に持ち込まれた検知回数を、各携帯電話機を識別する識別情報とともに検知情報として記憶する。
【００３７】
なお、詳細については後述するが、制御部１４が検知する携帯電話機は、携帯電話機登録情報記憶部１９に登録されていない携帯電話機と、携帯電話機登録情報記憶部１９に登録された携帯電話機の双方を含むものとする。
【００３８】
近距離無線通信部２１は、車両１０に持ち込まれた携帯電話機１２ａ、１２ｂとの間で無線通信を行い、携帯電話機１２ａ、１２ｂからアドレス情報を含む登録情報を取得するとともに、携帯電話機１２ａ、１２ｂを介して、外部の携帯電話機１３と通話のための音声情報の送受信を行うものである。近距離無線通信部２１には、例えば、ｂｌｕｅｔｏｏｔｈ技術、ＷｉＦｉ技術等を利用することができる。
【００３９】
操作部２２は、ナビゲーション装置１１の各種操作、例えば、経路探索のための出発地、目的地、経由地等の経路探索条件を入力する手段、携帯電話機１２ａ、１２ｂから必要な情報を取得するための指示を行う手段、携帯電話機１２ａ、１２ｂの登録情報を設定する手段、使用する携帯電話機１２ａ、１２ｂを選択する手段等として機能するものであり、例えば、キーやタッチパネルから構成される。
【００４０】
表示部２３は、車両１０の現在位置、地図画像、案内経路等を表示する手段、操作部２２を用いた作業に必要な操作画像を表示する手段等として機能するとともに、携帯電話機１２ａ、１２ｂの登録を促す情報を表示するものであり、例えば、液晶表示パネルから構成される。
【００４１】
マイク２４は、ナビゲーション装置１１に対して音声による指示を行い、また、携帯電話機１２ａ、１２ｂを介して通話先とハンズフリー通話を行う手段である。また、スピーカ２５は、経路案内情報にかかる音声情報を出力するとともに、携帯電話機１２ａ、１２ｂを介して発信先からの音声を出力する手段である。
【００４２】
図３において、ナビゲーション装置１１に接続される携帯電話機１２ａ、１２ｂの構成を説明する。ナビゲーション装置１１に接続される携帯電話機１２ａ、１２ｂは、制御部３０、操作部３１、表示部３２、マイク３３、スピーカ３４、通話送受信部３５、近距離無線通信部３６、及びアドレス帳記憶部３７を備えて構成される。
【００４３】
制御部３０は、ＣＰＵ３８、ＲＯＭ３９、ＲＡＭ４０を備えて構成され、ＲＯＭ３９及び／またはＲＡＭ４０に記憶された制御プログラムをＣＰＵ３８が実行することにより、携帯電話機１２ａ、１２ｂの各部の動作を制御・統括する。
【００４４】
操作部３１は、携帯電話機１２ａ、１２ｂの各種操作、例えば、発信先である携帯電話機１３の電話番号を入力する手段、ナビゲーション装置１１に対してアドレス情報の送信を指示する手段等として機能するものであり、例えば、キーやタッチパネルから構成される。表示部３２は、操作部３１用いた作業に必要な操作画像を表示する手段等として機能するものであり、例えば、液晶表示パネルから構成される。マイク３３は、発信先と通話を行う手段であり、スピーカ３４は、発信先からの音声を出力する手段である。
【００４５】
通話送受信部３５は、外部の携帯電話機１３と通話のための信号の送受信を行うものである。
【００４６】
近距離無線通信部３６は、ナビゲーション装置１１との間で無線通信を行い、携帯電話機１２ａ、１２ｂのアドレス情報を含む登録情報をナビゲーション装置１１に送信するものである。また、近距離無線通信部３６は、ナビゲーション装置１１との間で通話のための音声情報の送受信を行うものである。近距離無線通信部３６には、例えば、ｂｌｕｅｔｏｏｔｈ技術、ＷｉＦｉ技術等を利用することができる。
【００４７】
アドレス情報記憶部３７は、各携帯電話機１２ａ、１２ｂに登録されているアドレス情報を記憶する。
【００４８】
次に、以上のように構成されるハンズフリー通話装置であるナビゲーション装置１１の動作について説明する。
【００４９】
先ず、ナビゲーション装置１１による経路探索の動作について説明する。ユーザが、操作部２２を用いて出発地、経由地及び目的地を入力すると、経路探索部１６は、地図情報記憶部１７に記憶されている地図情報に基づき、出発地から経由地を経由して目的地までの最適な案内経路を探索し、その案内経路を地図画像とともに表示部２３に表示する。また、表示部２３には、現在位置検出部１５により検出された車両１０の現在位置が案内経路とともに表示される。ユーザは、表示されたこれらの情報に従い、目的地まで容易に移動することが可能となる。
【００５０】
次に、ナビゲーション装置１１を用いてハンズフリー通話を行う場合について説明する。
【００５１】
ハンズフリー通話を行うためには、ハンズフリー通話を行う携帯電話機１２ａ、１２ｂがナビゲーション装置１１に事前に登録されており、且つ、その携帯電話機１２ａ、１２ｂとナビゲーション装置１１とが接続可能な状態に設定されている必要がある。この場合、「接続可能な状態」とは、携帯電話機１２ａ、１２ｂの近距離無線通信部３６がナビゲーション装置１１の近距離無線通信部２１と通信可能な状態（例えば、ハンズフリー設定がＯＮの状態）に設定されていることをいう。
【００５２】
本実施例のナビゲーション装置１１は、登録されていない携帯電話機１２ａ、１２ｂが頻繁に車両１０に持ち込まれるようなとき、ユーザにその携帯電話機１２ａ、１２ｂの登録を促す機能を有している。この場合の動作について、図４に示すフローチャートに従って説明する。
【００５３】
ナビゲーション装置１１は、電源がＯＮの状態にあるとき、常時、近距離無線通信部２１により、所定の範囲内にある周辺機器からの信号を待ち受ける状態にある。近距離無線通信部２１が周辺機器から信号を受信すると（ステップＳ１０１、ＹＥＳ）、制御部１４のＣＰＵ２６は、受信した信号に含まれる周辺機器の識別情報、例えば、電話番号や機器の識別アドレスに基づき、携帯電話機登録情報記憶部１９に当該周辺機器が既に登録されている携帯電話機であるか否かを確認する（ステップＳ１０２）。
【００５４】
周辺機器である携帯電話機１２ａ、１２ｂがナビゲーション装置１１に登録されていない場合（ステップＳ１０２、ＮＯ）、携帯電話機１２ａ、１２ｂを、例えば、信号に含まれる識別情報から特定する（ステップＳ１０３）。次いで、検知回数記憶部２０に記憶されている情報に基づき、特定された携帯電話機１２ａ、１２ｂが過去に検知されたことのある携帯電話機であるか否かを確認する（ステップＳ１０４）。
【００５５】
ここで、過去に検知された携帯電話機とは、過去に車両１０に持ち込まれ、制御部１４によって検知されたことがある携帯電話機であり、検知回数記憶部２０に当該携帯電話機の識別情報とその検知回数とが過去に検知された携帯電話機の情報として記憶されている携帯電話機を指す。なお、携帯電話機は、例えば、携帯電話機が車両１０に持ち込まれた状態で車両１０のエンジンが始動されたこと、または、車両１０のエンジンが始動された状態で、携帯電話機が車両１０に持ち込まれたことをトリガとして検知することもできる。
【００５６】
車両１０に持ち込まれた携帯電話機１２ａ、１２ｂが過去に検知された携帯電話機でない場合（ステップＳ１０４、ＮＯ）、携帯電話機１２ａ、１２ｂの識別情報及びその検知回数（この場合、検知回数は１回となる。）を新たに検知回数記憶部２０に記憶させる（ステップＳ１０５）。
【００５７】
一方、車両１０に持ち込まれた携帯電話機１２ａ、１２ｂが過去に検知された携帯電話機である場合（ステップＳ１０４、ＹＥＳ）、検知回数記憶部２０に記憶されている当該携帯電話機の検知回数を一つインクリメントする（ステップＳ１０６）。
【００５８】
次に、制御部１４のＣＰＵ２６は、車両１０に持ち込まれ、インクリメントされた携帯電話機１２ａ、１２ｂの検知回数が所定回数以上であるか否かを確認し、所定回数以上である場合（ステップＳ１０７、ＹＥＳ）、当該携帯電話機１２ａ、１２ｂが車両１０に持ち込まれる頻度が高いため、ナビゲーション装置１１の表示部２３及びスピーカ２５を用いて、携帯電話機１２ａ、１２ｂの新規登録を促すメッセージをユーザに報知する（ステップＳ１０８）。ユーザは、この報知に基づき、未登録の携帯電話機１２ａ、１２ｂをナビゲーション装置１１に忘れずに登録することができる。
【００５９】
以上の処理は、ナビゲーション装置１１の電源がＯＦＦとされるまで継続される（ステップＳ１０９）。
【００６０】
新規登録を促すメッセージに基づき、携帯電話機１２ａ、１２ｂをナビゲーション装置１１に登録する場合、表示部２３に図５に示すメニュー画面を表示させ、このメニュー画面から、「設定」のボタンを選択して対象となる携帯電話機１２ａ、１２ｂの登録を行う。ユーザが登録に必要な指示を行うことにより、携帯電話機１２ａ、１２ｂに関する情報が近距離無線通信部２１を介して取り込まれ、携帯電話機登録情報記憶部１９に記憶される。また、選択された携帯電話機１２ａ、１２ｂのアドレス情報記憶部３７に記憶されているアドレス情報を読み込み、アドレス情報記憶部１８に記憶させることもできる。なお、登録された携帯電話機１２ａ、１２ｂに関する情報は、図６に示す携帯電話登録一覧の画面で確認することができる。
【００６１】
なお、ナビゲーション装置１１に登録することのできる携帯電話機の台数が制限されている場合であって、且つ、携帯電話機登録情報記憶部１９に既に制限数の上限まで携帯電話機が登録されている場合、ナビゲーション装置１１に登録されていない携帯電話機のうち、検知回数の多い携帯電話機を登録するため、既に登録されている携帯電話機のうちの検知回数が少ない携帯電話機の登録を抹消するようにしてもよく、または登録を抹消するかユーザに問う表示を行うこともできる。
【００６２】
この処理を実現するためには、ナビゲーション装置１１は、登録されていない携帯電話機だけでなく、既に登録されている携帯電話機についても検知回数をカウントし、使用頻度の判定のために、その検知回数を検知回数記憶部２０に記憶させておけばよい。
【００６３】
必要な携帯電話機１２ａ、１２ｂの登録作業が終了した後、登録された携帯電話機１２ａ、１２ｂを用いたハンズフリー通話が可能となる。
【００６４】
ハンズフリー通話を行う場合、ナビゲーション装置１１の表示部２３には、図５に示すハンズフリーメニュー画面が表示される。そこで、この画面から、登録されている「電話１」又は「電話２」のボタンを選択して発信元端末の携帯電話機１２ａ、１２ｂを決定する。次いで、「ダイヤル」のボタンを選択して通話先となる外部の携帯電話機１３の電話番号を直接入力し、あるいは、「アドレス帳」のボタンを選択した後、アドレス情報記憶部１８からアドレス情報を読み出して表示部２３に表示させ、外部の携帯電話機１３の電話番号を選択し、ハンズフリー通話を開始する。
【００６５】
ナビゲーション装置１１のマイク２４に入力されたユーザの音声は、近距離無線通信部２１から選択された携帯電話機１２ａ、１２ｂの近距離無線通信部３６に音声信号として送信された後、通話送受信部３５から外部の携帯電話機１３に送信される。一方、外部の携帯電話機１３からの音声信号は、携帯電話機１２ａ、１２ｂの通話送受信部３５により受信された後、近距離無線通信部３６からナビゲーション装置１１の近距離無線通信部２１に送信され、次いで、ナビゲーション装置１１のスピーカ２５から相手方の音声が出力される。
【００６６】
なお、本発明は、上述した実施例に限定されるものではなく、本発明の要旨を逸脱しない範囲で変更することが可能である。
【００６７】
上述した実施例では、車両１０に持ち込まれた携帯電話機１２ａ、１２ｂを検知し、検知頻度情報としての検知回数が所定回数以上の頻度情報となったとき、当該携帯電話機の登録を促す報知を行うように構成しているが、例えば、携帯電話機１２ａ、１２ｂが車両１０に持ち込まれている時間を累積し、検知頻度情報としての累積時間が所定時間以上の頻度情報となったとき、車両１０に持ち込まれる頻度の高い携帯電話機であると判断し、当該携帯電話機の登録を促す報知を行うように構成することもできる。
【００６８】
また、ハンズフリー通話装置としては、車両１０に搭載されるナビゲーション装置１１に限られるものではなく、端末と通信可能なものであれば、パソコンを含む種々の装置を適用することができる。また、ハンズフリー通話装置に接続される端末としては、外部の端末と通信を行うものであれば、携帯電話機１２ａ、１２ｂ以外の通信機器でもよい。
【符号の説明】
【００６９】
１０・・・車両
１１・・・ナビゲーション装置
１２ａ、１２ｂ、１３・・・携帯電話機
１４、３０・・・制御部
１５・・・現在位置検出部
１６・・・経路探索部
１７・・・地図情報記憶部
１８，３７・・・アドレス情報記憶部
１９・・・携帯電話機登録情報記憶部
２０・・・検知回数記憶部
２１、３６・・・近距離無線通信部
２２、３１・・・操作部
２３、３２・・・表示部
２４、３３・・・マイク
２５、３４・・・スピーカ
３５・・・通話送受信部
【図１】
2012160843.tif 000003
【図２】
2012160843.tif 000004
【図３】
2012160843.tif 000005
【図４】
2012160843.tif 000006
【図５】
2012160843.tif 000007
【図６】
2012160843.tif 000008